(57)【要約】【課題】製造者や中間者が設定すべく内容をユーザーが誤って設定することを回避でき、機器を良好に運転できる機器機能設定装置を提供する。【解決手段】機器機能設定装置は、機器と、機器の機能に関する項目を設定する機能設定手段とを具備する。機能設定手段は、機器の機能に関する項目の内容を記憶する記憶手段と、機器を製造する製造者、機器の施工またはメンテナンスを行う中間者、施工後の機器を使用するユーザーのうちの少なくとも２者をパスワードに基づいて判定するパスワード判定手段と、記憶手段に記憶されている機器の機能に関する項目のうち、パスワード判定手段で判定されたパスワードに基づいて、機能を変更可能な項目を選択する選択手段と、選択手段で選択された項目の内容を変更する設定変更手段とを具備する。【選択図】  図８
2004278980.tif 000002
【特許請求の範囲】
【請求項１】
機器と、前記機器の機能に関する項目を設定する機能設定手段とを具備する機器機能設定装置において、
前記機能設定手段は、
前記機器の機能に関する項目の内容を記憶する記憶手段と、
前記機器を製造する製造者、前記機器の施工またはメンテナンスを行う中間者、施工後の前記機器を使用するユーザーのうちの少なくとも２者をパスワードに基づいて判定するパスワード判定手段と、
前記記憶手段に記憶されている前記機器の機能に関する項目のうち、パスワード判定手段で判定されたパスワードに基づいて、前記機器の機能を変更可能な項目を選択する選択手段と、
前記記憶手段に記憶されている前記機器の機能に関する項目のうち、前記選択手段で選択された項目の内容を変更する設定変更手段とを具備することを特徴とする機器機能設定装置。
【請求項２】
請求項１において、前記機器は、エンジンで駆動されるエンジン駆動式空調装置であることを特徴とする機器機能設定装置。
【請求項３】
請求項１または請求項２において、ユーザーに関するパスワードは、ユーザが機器を運転するときの条件に応じて区分けされており、前記パスワード判定手段は、ユーザーに関するパスワードに基づいて、ユーザーが機器を運転するときの条件を判定することを特徴とする機器機能設定装置。
【請求項４】
請求項１〜請求項３のうちいずれか一項において、パスワードを入力するパスワード入力手段と、前記選択手段で選択された項目の内容を変更するように入力する設定入力手段が設けられていることを特徴とする機器機能設定装置。
【発明の詳細な説明】
【０００１】
【発明の属する技術分野】
本発明は機器機能設定装置に関する。本発明は、例えば、燃料ガスの燃焼で駆動するガスエンジンで駆動されるガスエンジン駆動式空調装置に適用できる。
【０００２】
【従来の技術】
従来技術について空調装置を例にとって説明する。空調装置の制御ＥＣＵによれば、機能に関する複数の基本設定を製造段階で切換えて異機種に対応したり、機能に関するユーザーの基本設定を製造段階で切換えたり、機器の施工におけるオプションの有無等で機能の有無を切換える場合がある。この場合、▲１▼ジャンパ線による設定、▲２▼ディップスイッチ（ＤＩＰＳＷ）による設定、▲３▼ＥＥＰＲＯＭにおける設定、▲４▼制御基板のジャンパ線実装の設定により、機能に関する項目の各種設定の切換えを行ってい。なお特許文献１はジャンパ設定による切り換えを開示している。特許文献２は、赤外線通信ラインによるＥＥＰＲＯＭの切り換えを開示している。
【０００３】
【特許文献１】特開２００２−１１５６６５号公報
【特許文献２】特開２０００−４６４０５号公報
【０００４】
このような機能の切換えは、それが必要となる場面において下記のように分類できる。
Ａ．制御基板を異機種間で共有する等の製造段階での切換え
Ｂ．オプション設定等の施工工事毎に設定する切換え
Ｃ．ユーザーの使い勝手やユーザーの好みによる施工後の切換え
このような分類において、その設定者は、一般的には、ＧＨＰ装置を製造する製造者、ＧＨＰ装置の施工またはメンテナンスを行う中間者、ＧＨＰ装置を使用するユーザーである。
【０００５】
【発明が解決しようとする課題】
上記した従来の方法では次の▲１▼〜▲３▼の不具合が生じる。
【０００６】
▲１▼製造者や中間者が設定すべく内容をユーザーが誤って設定するおそれがある。この場合、正常な制御が出来なくなったり、故障を誘発する原因になったりするおそれがある。
【０００７】
▲２▼こうような状況を招きがちの項目については、ユーザーが設定できないようにすることが行われている。しかこの場合には、本来的にはユーザーが設定を行っても良い項目であっても、わざわざ、メンテナンスを行う業者が出向いてユーザーの希望に沿った設定を行う等を行うことになり、手間が増えることになる。
【０００８】
▲３▼製造者の都合により設定項目や設定方法を他に知られたくない項目については、ジャンパ線をハンダ付けしたり、設定毎の異なるプログラムを搭載したりして、設定項目を容易には変更できないようにすることが行われている。しかしこれでは、本来同一の部品であるにもかかわらず、生産管理上では異なる部品となり、管理費を増大させることになるという問題がある。
【０００９】
即ち、従来のＧＨＰ装置の制御ＥＣＵによれば、ＧＨＰ装置の機能を設定する設定者を限定できないため、設定者ごとに、ＧＨＰ装置の機能を設定できる項目を変えたプログラムを用意する必要があった（図９参照）。
【００１０】
本発明は上記した実情に鑑みてなされたものであり、製造者や中間者が設定すべく内容をユーザーが誤って設定することを回避でき、機器を良好に運転できる機器機能設定装置を提供することを課題とするにある。
【００１１】
【課題を解決するための手段】
本発明に係る機器機能設定装置は、機器と、機器の機能に関する項目を設定する機能設定手段とを具備する機器機能設定装置において、
機能設定手段は、
機器の機能に関する項目の内容を記憶する記憶手段と、
機器を製造する製造者、機器の施工またはメンテナンスを行う中間者、施工後の機器を使用するユーザーのうちの少なくとも２者をパスワードに基づいて判定するパスワード判定手段と、
記憶手段に記憶されている機器の機能に関する項目のうち、パスワード判定手段で判定されたパスワードに基づいて、機器の機能を変更可能な項目を選択する選択手段と、
記憶手段に記憶されている機器の機能に関する項目のうち、選択手段で選択された項目の内容を変更する設定変更手段とを具備することを特徴とするものである。
【００１２】
本発明によれば、記憶手段は、機器の機能に関する項目の内容を記憶する。パスワード判定手段は、設定者をパスワードに基づいて判定する。すなわちパスワード判定手段は、機器を製造する製造者、機器の施工またはメンテナンスを行う中間者、施工後の機器を使用するユーザーのうちの少なくとも２者をパスワードに基づいて判定する。選択手段は、記憶手段に記憶されている機器の機能に関する項目のうち、パスワード判定手段で判定されたパスワードに基づいて、その設定者が機能を変更可能な項目を選択する。設定変更手段は、選択手段で選択された項目の内容を変更する。これにより機器は、変更された機能に基づいて運転される。このように本発明によれば、製造者や中間者が設定すべく内容をユーザーが誤って設定することを回避でき、機器を良好に運転できる
【００１３】
【発明の実施の形態】
本発明によれば、機器としては、エンジンで駆動されるエンジン駆動式空調装置である形態を例示できる。殊に、ガスエンジンで駆動されるガスエンジン駆動式空調装置を例示できる。
【００１４】
本発明によれば、パスワード判定手段としては、製造者、中間者及びユーザーの三者のパスワードをそれぞれ判定する方式でも良いし、製造者及び中間者の二者のパスワードを判定する方式でも良いし、製造者及びユーザーの二者のパスワードを判定する方式でも良いし、中間者及びユーザーの二者のパスワードを判定する方式でも良い。一般的にはパスワードは製造者により割り当てられる。
【００１５】
本発明によれば、ユーザーに関するパスワードは、ユーザが機器を運転するときの条件に応じて区分けされており、パスワード判定手段は、ユーザーに関するパスワードに基づいて、ユーザーが機器を運転するときの条件を判定する形態を例示できる。ユーザーが機器を運転する条件とは、機器を設置する環境（平均気温、通風状況）等が例示される。機器がＧＨＰ装置等の空調装置である場合には、運転する条件とは、機器を設置する環境（平均気温、通風状況等）の他に、室内機の構成（数、タイプ、容量等）、冷媒が流れる配管長や配管の高低差、設置場所等が例示される。
【００１６】
本発明によれば、製造者、中間者、ユーザーのうちの少なくとも２者のパスワードを入力するパスワード入力手段が設けられている形態を例示できる。あるいは、製造者、中間者、ユーザーのうちの少なくとも２者のパスワードを入力するパスワード入力手段が制御ＥＣＵ（電子制御装置）に接続可能に設けられている形態を例示できる。パスワード入力手段としては、パソコンのキーボード、あるいは、ＧＨＰ装置等の機器に搭載されている制御基板に設けられているスイッチが挙げられる。
【００１７】
本発明によれば、選択手段で選択された項目の内容を変更するように入力する設定入力手段が設けられている形態を例示できる。あるいは、選択手段で選択された項目の内容を変更するように入力する設定入力手段が制御ＥＣＵに接続可能に設けられている形態を例示できる。設定入力手段としては、パソコンのキーボード、あるいは、ＧＨＰ装置等の機器に搭載されている制御基板に設けられているスイッチが挙げられる。
【００１８】
本発明によれば、機能の分類として次のＡ，Ｂ，Ｃの形態が例示される。
【００１９】
Ａ．制御基板を異機種間で共有化するための、ＧＨＰ装置等の機器に関する基本機能の設定
Ｂ．オプション設定等のように、ＧＨＰ装置等の機器の施工工事毎に設定する機能
Ｃ．ユーザーの使い勝手や好みによって切り替えるＧＨＰ装置等の機器の機能本発明によれば、機器の機能を設定する設定者として、機器を製造する製造者、機器を使用するユーザー、機器の施工またはメンテナンスを行う中間者を分け、製造者が設定すべき項目、ユーザーが設定すべき項目、中間者が設定すべき項目を分割し、各設定者（製造者、ユーザー、中間者）が設定すべき項目を分割させる形態を例示できる。
【００２０】
この場合、機能の設定切換え用データを、記憶手段としてのメモリの所定のエリアに設定することが好ましい。殊に不揮発性メモリ（例えばＥＥＰＲＯＭ）の所定のエリアに設定することが好ましい。ＧＨＰ装置等の機器に搭載されている制御ＥＣＵ（電子制御装置）は、この不揮発性メモリ等のメモリの設定切換え用データを必要に応じて読み出し、制御の機能設定を切換えることができる。
【００２１】
不揮発性メモリ等のメモリに記憶されている設定内容を変更する方法として、次の▲１▼〜▲３▼が例示される。
【００２２】
▲１▼パソコンをＲＳ２３２Ｃ（接続信号線）でＧＨＰ装置等の機器の制御ＥＣＵに接続し、製造者が提供する専用の設定プログラムで行う。
【００２３】
▲２▼上記と同等の機能を持った専用のメモリ書き換え機で行う。
【００２４】
▲３▼ＧＨＰ装置等の機器に搭載されている制御基板にあるメンテナンス用のスイッチと７セグメントのＬＥＤの表示を利用して行う。
【００２５】
上記したいずれの方法においても、設定すべき項目を限定する手段として、設定者毎（製造者、ユーザー、中間者）に割り当てられたパスワードにより、つまり、機器を製造する製造者、機器を使用するユーザー、機器の施工またはメンテナンスを行う中間者に割り当てられた専用のパスワードにより、少なくとも下記に示す設定制限を加えることが好ましい。
【００２６】
・製造者用パスワードが入力された場合には、ＧＨＰ装置等の機器の機能に関するすべての設定を変更することができる。即ち、製造者は、製造者、中間者、ユーザーにそれぞれ許容される機能に関する設定内容を変更することができる。
【００２７】
・中間者用パスワードが入力された場合には、中間者は、中間者とユーザーに許容される機能に関する設定内容を変更することができる。
【００２８】
・ユーザー用パスワードが入力された場合は、ユーザーのみに許容される機能に関する設定内容を変更することができる。
【００２９】
上記のようにパスワードによる設定制限を加えることで、製造者が想定しない設定を中間者やユーザーが設定するおそれを回避することができる。
【００３０】
本発明によれば、前述したように、製造者、中間者（施工者またはメンスナンス者）、ユーザーのうちの少なくとも２者をパスワードに基づいて判定するパスワード判定手段と、記憶手段に記憶されている機器の機能に関する項目のうち、パスワード判定手段で判定されたパスワードに基づいて、機能を変更可能な項目を選択する選択手段と、選択手段で選択された項目の内容を変更する設定変更手段とを備えている。このため共通仕様プログラムにおいて製造者、中間者（施工者またはメンスナンス者）、ユーザーごとに設定できる項目を制限することができる。このため、製造者、中間者（施工者またはメンスナンス者）、ユーザーの三者に共通する共通仕様プログラムを用いることができる。
【００３１】
図８は本発明の代表的な形態例を示す。この形態例では、図８に示すように、制御ＥＣＵの制御基板２４には、記憶手段として機能するＥＥＰＰＲＯＭ、パスワード判定手段及び設定変更手段として機能するＣＰＵ及びメモリを搭載するマイコン、パスワード入力手段及び設定内容を変更する設定変更手段として機能するボードメンテ用のスイッチ（ＳＷ）及びＬＥＤが搭載されている。更に、パスワード入力手段及び設定内容を変更する設定変更手段として機能する設定用パソコン（設定用ＰＣ）が制御ＥＣＵの制御基板２４に接続可能されている。上記したマイコンのメモリには、前記した共通仕様プログラムが格納されている。
【００３２】
【実施例】
（第１実施例）
以下、本発明の第１実施例を図１〜図６を参照して説明する。図１は機器としてのＧＨＰ装置の基本概念を示す。図１に示すように、ガスエンジン駆動式空調装置であるＧＨＰ装置は室内機１０と室外機１１とを有する。ＧＨＰ装置は、燃料ガスの燃焼で駆動するガスエンジン１２と、ガスエンジン１２で回転駆動され冷媒を圧縮するコンプレッサ１３と、冷媒が通過する室外側配管１４と、室外側配管１４に設けられた室外側の熱交換器１５と、冷媒が通過する室内側配管１６と、室内側配管１６に設けられた室内側の熱交換器１７と、室外側配管１４に設けられ冷媒の流路を切り替える弁装置１８とを有する。
【００３３】
このＧＨＰ装置は室内の温度を調整する空調装置であり、基本的には次のように作用する。室内を冷房するときには、冷媒は、矢印Ａ１→矢印Ａ２→矢印Ａ３→矢印Ａ４→矢印Ａ５→矢印Ａ６→矢印Ａ７の方向に順に搬送される。すなわち、コンプレッサ１３で圧縮された高温の冷媒は、弁装置１８及び室外側配管１４を経て室外側の熱交換器１５に至り、熱交換器１５における熱交換により冷却されて液化され、更に、室内側配管１６を経て室内側の熱交換器１７に至り、熱交換により室内を冷却する。その後、冷媒は室内側の熱交換器１７から室外機１０に戻る。
【００３４】
また室内を暖房するときには、コンプレッサ１３で圧縮された冷媒は、矢印Ｂ１→矢印Ｂ２→矢印Ｂ３→矢印Ｂ４→矢印Ｂ５→矢印Ｂ６の方向に順に搬送される。すなわち、コンプレッサ１３で圧縮された高温の冷媒は、弁装置１８及び室内側配管１６を経て室内側の熱交換器１７に至り、熱交換器１７から室内に熱を放出して室内を加熱し、その後、冷媒は室外機１０に戻る。
【００３５】
図２は室外機１１を示す。室外機１１は、ＧＨＰ装置を運転する制御ＥＣＵ２を搭載している。図３に示すように、複数個の室内機１０が設けられていることもある。
【００３６】
図４に示すように、制御ＥＣＵ２は、ＣＰＵ２０と、入力処理部２１と、出力処理部２２と、記憶手段としての書き換え可能なメモリ２３（ＥＥＰＲＯＭ）と、記憶手段としての書き換え不能なメモリ２９とを制御基板２４上に有する。メモリ２９に共通仕様プログラムが格納されている。共通仕様プログラムは、製造者、施工者、ユーザーの三者がそれぞれＧＨＰ装置の機能に関して共通して設定できるようにプログラムしたものである。
【００３７】
本実施例によれば、従来において制御ＥＣＵ２の制御基板上のディップスイッチや、制御ＥＣＵ２の制御基板上のジャンパ線で設定していた機能に関する内容を、記憶手段としてのメモリ２３（ＥＰＲＯＭ）に記憶させることができる。
【００３８】
本実施例において、ＧＨＰ装置の機能に関する設定項目と、その設定項目の設定の変更が許容される設定者とを次に示す。ここで、製造者はＧＨＰ装置を製造する者を意味する。ユーザーはＧＨＰ装置を使用する者を意味する。施工者はＧＨＰ装置を施工する者を意味する。
【００３９】
１．室内機についてのシングル／マルチの設定、つまり、１台／複数台の設定：製造者
２．ＧＨＰ装置の出力馬力の設定        ：製造者
３．ＧＨＰ装置の定期点検の表示の有無  ：製造者、施工者
４．ＧＨＰ装置の定期点検の表示時間の切換え：製造者、施工者
５．ＧＨＰ装置の準寒冷地用の設定      ：製造者、施工者
６．ＧＨＰ装置の冷却水の凍結を防止するヒーターを使用するオプションの設定（寒冷地では凍結があるため）  ：製造者、施工者
７．ＧＨＰ装置における臭気を低減させるオプションの設定  ：製造者、施工者
８．ＧＨＰ装置の運転を静粛化させるサイレントモ−ドの設定  ：製造者、施工者、ユーザー
９．ＧＨＰ装置の運転を常時において静粛化させるフルタイムサイレントモ−ドの設定  ：製造者、施工者、ユーザー
１０．暖房時において設定温度よりも所定温度（例えば３℃）高めに補正する設定  ：製造者、施工者、ユーザー
本実施例によれば、例えば、各設定者のパスワードは予め次のように設定されている。パスワードは６桁とされている。ここで、『−』は任意の番号を意味する。
製造者：９４６９４６
施工者：８−０−−−、８−２−−−、８−４−−−、８−６−−−、８−８−−−
ユーザー：１−−−−−、３−−−−−、５−−−−−、７−−−−−
本実施例によれば、図４に示すように、パスワードを入力するパスワード入力手段として、また、ＧＨＰ装置の機能に関する設定内容を入力する設定入力手段として、パソコン３を用いることができる。このパソコン３は、ＧＨＰ装置の制御ＥＣＵ２にＲＳ２３２Ｃ（接続信号線）で接続されている。
【００４０】
また、パスワードを入力するパスワード入力手段として、また、ＧＨＰ装置の機能に関する設定内容を入力する設定入力手段として、図４に示すように、制御ＥＣＵ２に装備されている制御基板２４上に搭載されている複数個のスイッチ２５と複数桁の７セグメントのＬＥＤ２６とを用いることができる。
【００４１】
本実施例によれば、一般的には、製造者及び施工者は、ＧＨＰ装置の機能に関する設定をパソコン３で行なう。このパソコン３には専用設定ソフトがインストールされている。パスワードの判定手段、ＥＥＰＲＯＭに記憶されている機能に関する設定内容を書き換える設定変更手段は、ＧＨＰ装置の制御ＥＣＵ２の共通仕様プログラムにソフトウェアとして存在する。ユーザーは、一般的には、制御基板２４上のスイッチ２５と複数桁（６桁）の７セグメントのＬＥＤ２６とで、ＧＨＰ装置の機能に関する設定を行なう。なお本実施例によれば、ユーザーは、製造者及び施工者と同様に、ＧＨＰ装置の機能に関する設定をパソコン３を用いて行うこともできるようになっている。
【００４２】
ここで、設定者（製造者、施工者またはユーザー）が、専用設定ソフトをインストールしたパソコン３を用い、パソコン３をＲＳ２３２ＣでＧＨＰ装置の制御ＥＣＵ２に接続してＧＨＰ装置の機能を設定する方法について説明する。図６は、パソコン３を用いてＧＨＰ装置の機能を設定する場合のフローチャートを示す。このフローチャートは一例であり、これに限定されるものではない。
【００４３】
まず、設定者は、ＧＨＰ装置の制御ＥＣＵ２にパソコン３をＲＳ２３２Ｃ（接続信号線）で接続する。その後に、設定者がパソコン３の専用設定ソフトを起動する。すると、ＧＨＰ装置の制御ＥＣＵ２に関して初期設定が行われ、タイマーがスタートする（ステップＳ２、ステップＳ４）。タイマーがスタートしてから一定時間経過しているか判定する（ステップＳ６）。一定時間以内であれば、パスワードの入力画面をパソコン３の画面で表示する指令を出力する（ステップＳ１０）。これによりパソコン３のディスプレイは、パスワードを入力できる画面を表示する。パスワードが入力されるまで待機する（ステップＳ１２）。
【００４４】
そして、設定者はパスワードをパソコン３のキーボート３０で入力する。その後、設定者はキーボード３０の設定ボタンを押すと、設定開始コマンドと、入力されたパスワードがＧＨＰ装置の制御ＥＣＵ２にパソコン３から送られる。
【００４５】
次に、ＧＨＰ装置の制御ＥＣＵ２は、入力されたパスワードを読み取る（ステップＳ１４）。制御ＥＣＵ２は、入力されたパスワードに基づいて、製造者、施工者、ユーザー、該当無しのいずれに該当するかの判定を行う（ステップＳ１６）。判定した結果、該当無しの場合には、設定不可信号をパソコン３に出力し、該当無しの旨をパソコン３の画面に表示させ（ステップＳ８０，ステップＳ８２）、リターンする。
【００４６】
ステップＳ１６において判定した結果、入力されたパスワードが、製造者のパスワードである場合には、機能に関する項目のうち、製造者が設定可能な項目を選択する（ステップＳ２０）。更に、機能に関する項目のうち、製造者が設定可能な項目をパソコン３の画面に表示する信号と、設定可能な項目の現状値をパソコン３の画面に表示する信号とをパソコン３へ出力し（ステップＳ２２）、製造者用の設定モ−ドに移行する（ステップＳ２４）。これによりパソコン３は、設定可能な項目と、送られてきたＧＨＰ装置の機能に関する現状値とを画面上に表示する。
【００４７】
ここで、機能に関する現状値を変更する必要があるときには、現状設定に対して、設定者（製造者）はパソコン３のキーボード３０で変更を加える。設定者（製造者）はキーボード３０の設定ボタンを押すことで、パソコン３のキーボード３０から設定内容がＧＨＰ装置の制御ＥＣＵ２に送られる。ＧＨＰ装置の制御ＥＣＵ２は、送られてきた設定内容に基づいて、変更内容を読み取り（ステップＳ２６）、更に、書き換え可能なメモリ２３（ＥＥＰＲＯＭ）の内容を書き換える（ステップＳ２８）。書き換えが終了（ステップＳ３０）した後、設定完了を示す信号を出力し、設定完了の旨をパソコン３の画面に出力する（ステップＳ７４）。
【００４８】
またステップＳ１６おいて判定した結果、入力されたパスワードが、施工者のパスワードである場合には、機能に関する項目のうち、施工者が設定可能な項目を選択する（ステップＳ４０）。更に、機能に関する項目のうち、施工者が設定可能な項目をパソコン３の画面に表示する信号と、設定可能な項目の現状値をパソコン３の画面に表示する信号とをパソコン３へ出力し（ステップＳ４２）、施工者用の設定モ−ドに移行する（ステップＳ４４）。これによりパソコン３は、設定可能な項目と、送られてきたＧＨＰ装置の機能に関する現状値とを画面上に表示する。ここで、機能に関する現状値を変更する必要があるときには、現状設定に対して、設定者（施工者）はパソコン３のキーボード３０で変更を加える。
設定者（施工者）はキーボード３０の設定ボタンを押すことで、パソコン３のキーボード３０から設定内容がＧＨＰ装置の制御ＥＣＵ２に送られる。ＧＨＰ装置の制御ＥＣＵ２は、送られてきた設定内容に基づいて、変更内容を読み取り（ステップＳ４６）、更に、書き換え可能なメモリ２３（ＥＥＰＲＯＭ）の内容を書き換える（ステップＳ４８）。書き換え終了後、設定完了を示す信号を出力し、設定完了の旨をパソコン３の画面に出力する（ステップＳ７４）。
【００４９】
またステップＳ１６において判定した結果、入力されたパスワードが、ユーザーのパスワードである場合には、機能に関する項目のうち、ユーザーが設定可能な項目を選択する（ステップＳ６０）。更に、機能に関する項目のうち、ユーザが設定可能な項目をパソコン３の画面に表示する信号と、設定可能な項目の現状値をパソコン３の画面に表示する信号とをパソコン３へ出力し（ステップＳ６２）、ユーザー用の設定モ−ドに移行する（ステップＳ６４）。これによりパソコン３は、設定可能な項目と、送られてきたＧＨＰ装置の機能に関する現状値とを画面上に表示する。ここで、機能に関する現状値を変更する必要があるときには、現状設定に対して、設定者（ユーザー）はパソコン３のキーボード３０で変更を加える。設定者（ユーザー）はキーボード３０の設定ボタンを押すことで、パソコン３のキーボード３０から設定内容がＧＨＰ装置の制御ＥＣＵ２に送られる。ＧＨＰ装置の制御ＥＣＵ２は、送られてきた設定内容に基づいて、変更内容を読み取り（ステップＳ６６）、更に、メモリ２３（ＥＥＰＲＯＭ）の内容を書き換える（ステップＳ６８）。書き換え終了後、設定完了を示す信号を出力し、設定完了の旨をパソコン３の画面に出力する（ステップＳ７４）。
【００５０】
ステップＳ１０，ステップＳ１２，ステップＳ１４，ステップＳ１６は、ＧＨＰ装置を製造する製造者、ＧＨＰ装置の施工を行う中間者である施工者、施工後のＧＨＰ装置を使用するユーザーのうちの少なくとも２者をパスワードに基づいて判定するパスワード判定手段として機能する。
【００５１】
ステップＳ２０，ステップＳ４０，ステップＳ６０は、メモリ２３（ＥＥＰＲＯＭ）に記憶されているＧＨＰ装置の機能に関する項目のうち、パスワード判定手段で判定されたパスワードに基づいて、ＧＨＰ装置の機能を変更可能な項目を設定者に応じて選択する選択手段として機能する。ステップＳ２６，ステップＳ２８，ステップＳ４６，ステップＳ４８，ステップＳ６６，ステップＳ６８は、選択手段で選択された項目の内容を変更する設定変更手段として機能する。
【００５２】
なお、ＧＨＰ装置の制御ＥＣＵ２は、パソコン３のキーボード３０から信号を一定時間を受信しないとき、あるいは、設定終了を示す信号を受け取ったとき、パスワード設定モ−ドから抜ける（ステップＳ６，ステップＳ８）。
【００５３】
次に、ユーザーが、制御ＥＣＵ２の制御基板２４上に搭載されている複数個のスイッチ２５と複数桁の７セグメントのＬＥＤ２６を用い、ＧＨＰ装置の機能を設定する方法について説明する。この場合にも基本的には同様の設定処理を制御ＥＣＵ２は行う。図５に示すように、上記した複数個（６個）のスイッチ２５には、ＵＰ、ＤＯＷＮ、室内機選択、モ−ド、クリア、セットの名前がそれぞれついている。ＵＰが表示されているスイッチ２５は、現状値を増加させるものである。ＤＯＷＮが表示されているスイッチ２５は、現状値を減少させるものである。室内機選択は室内機を選択する場合に用いられる。モ−ドは各モードを選択するものである。クリアは入力値をキャンセルするものである。セットは次の桁に移動するとき使用されるものである。
【００５４】
具体的な操作は次のようになる。
【００５５】
１．モ−ド用のスイッチ２５の操作で、設定変更が可能となる設定変更モ−ドに入る。その後、６個のスイッチ２５を用い、パスワードを設定者は入力する。
【００５６】
２．上記したように６個のスイッチ２５によりパスワードが入力されると、ＧＨＰ装置の制御ＥＣＵ２はパスワードを読み込む。そして、パスワードに基づいて制御ＥＣＵ２は製造者、施工者、ユーザー、該当無しのうちのいずれであるかの判定を行う。即ち、制御ＥＣＵ２は、入力されたパスワードに基づいて、製造者、施工者、ユーザー、該当無しのいずれに該当するかの判定を行う。なお本実施例によれば、製造者についても、スイッチ２５と７セグメントのＬＥＤ２６とを用いて、製造者用のパスワードを入力すれば、ＧＨＰ装置の機能を設定できるようにされている。同様に、施工者についても、スイッチ２５と７セグメントのＬＥＤ２６とを用いて、施工者用のパスワードを入力すれば、ＧＨＰ装置の機能を設定できるようにされている。
【００５７】
３．判定した結果、該当無しの場合にはその旨をＬＥＤ２６に表示させ、設定変更モ−ドを抜ける。判定の結果、製造者、施工者、ユーザーのいずれかのパスワードの場合には、各々の設定者が設定可能な設定モ−ドに移行する。即ち、入力されたパスワードがユーザーのパスワードである場合には、メモリ２３に記憶されている機能に関する項目のうち、ユーザーがＧＨＰ装置の機能に関して設定可能な項目と、その機能に関する現状値とをＬＥＤ２６に表示する。
【００５８】
また入力されたパスワードが製造者のパスワードである場合には、メモリ２３に記憶されている機能に関する項目のうち、製造者がＧＨＰ装置の機能に関して設定可能な項目と、その機能に関する現状値とをＬＥＤ２６に表示する。また入力されたパスワードが施工者のパスワードである場合には、メモリ２３に記憶されている機能に関する項目のうち、施工者がＧＨＰ装置の機能に関して設定可能な項目と、その機能に関する現状値とをＬＥＤ２６に表示する。
【００５９】
従って、設定者は、６個のスイッチ２５と７セグメントのＬＥＤ２６を用い、ＧＨＰ装置の機能に関して設定可能な項目を選択し、その項目について、ＧＨＰ装置の機能を設定する。ＧＨＰ装置の制御ＥＣＵ２は、設定内容に基づいて、設定内容を読み取り、更に、メモリ２３（ＥＥＰＲＯＭ）の内容を書き換える。書き換えが終了した後、設定完了を示す信号を出力し、設定完了の旨をＬＥＤ２６に出力する。
【００６０】
４．設定が終了すると、設定変更モ−ドを抜ける。
【００６１】
以上説明したように本実施例によれば、従来よりディップスイッチやジャンパ線で設定していた項目について、メモリ２３（ＥＥＰＲＯＭ）に設定できるようになっている。このため、ディップスイッチやジャンパ線が不要になり、部品コストが下がるというメリットがある。なお、メモリ２３（ＥＥＰＲＯＭ）は、ＧＨＰ装置の運転時間の記憶等のために従来から使用されているため、メモリ２３（ＥＥＰＲＯＭ）を追加する必要がない。
【００６２】
上記したように本実施例によれば、製造者、施工者、ユーザーを識別するパスワードを導入すると共に、製造者、施工者、ユーザーの三者に共通する共通仕様プログラムを作製している。そして、入力されたパスワードに基づいて、製造者、施工者、ユーザーを識別し、製造者、施工者、ユーザー毎に設定できる項目を制限している。このため共通仕様プログラム等のプログラムをメモリ２９，２３に記憶させた共通の制御ＥＣＵ２で、すべての設定者（製造者、施工者、ユーザー）に適切に対応することが可能となる。
【００６３】
更に、製造者や施工者が設定すべき内容をユーザーが誤って設定した場合には、正常な制御が出来なくなったり、故障を誘発するおそれがある。こうしたおそれについては、ユーザーが安易に設定できないようにした場合、本来ユーザーが設定を行っても良い項目も、わざわざ施工者がユーザー側に出向いて、ユーザーの希望に沿った設定を行う等の手間が増えることになる。また、製造者の都合で設定項目や設定方法を知られないようにしたい項目については、ジャンパ線をハンダ付けしたり、設定毎の異なるプログラムを搭載する等のように、容易に変更できない構造にするが、これでは、本来同一の部品であるものが生産管理上異なる部品となり、管理費を増大させることになる。
【００６４】
この点本実施例によれば、製造者、施工者、ユーザー毎に設定できる項目を制限しているため、上記した不具合を未然に防止できる。即ち、製造者、施工者、ユーザーの三者に共通する共通プログラムを用いつつも、製造者、施工者、ユーザー毎に設定できる項目を制限している。このため、従来のＧＨＰ装置の制御ＥＣＵとは異なり、設定者ごとに、ＧＨＰ装置の機能を設定できる項目を変えたプログラムを用意する必要がない。
【００６５】
（第２実施例）
第２実施例は前記した第１実施例と基本的には同様の構成であり、第１実施例と基本的には同様の作用効果を奏することができる。以下、異なる部分を中心として説明する。本実施例によれば、ユーザー用のパスワードとして複数種類が割り当てられている。すなわち、ユーザー用のパスワードとして、特定ユーザーを識別するパスワード、寒冷地、豪雪地等の特定の地域のユーザーを識別するパスワードが予め割り当てられている。このようなユーザーに関するパスワードが複数種類割り当てられているため、パスワードに基づいて、ユーザーが機器を運転するときの条件を判定することができる。
【００６６】
このため、ＧＨＰ装置の機能について、制御ＥＣＵ２は、特定ユーザーに限定された特殊仕様の設定を容易に行うことができる。また、制御ＥＣＵ２は、ＧＨＰ装置の機能について、特定地域のユーザー限定の特殊仕様の設定を容易に行うことができる。この場合、従来では、特定用途向けプログラムを別途作製して用意していたものも、制御基板は共通する標準品で対応することが可能となる。
【００６７】
このように標準品で対応することが可能となれば、作製及び管理が容易となり、結果的に、ＧＨＰ装置の機能に関する設定項目を増加させることが可能となる。このため本実施例によれば、ＧＨＰ装置の機能に関する設定項目について、標準品のみで幅広い対応を実現することが可能となる。これをさらに応用すると、従来は実現できなかった詳細な制御パラメータの調整がユーザー毎に設定可能となる。制御パラメータとしては、次のものが例示される。
【００６８】
・室内機１０の構成（数、タイプ、容量ｅｔｃ）についての制御パラメータ
・冷媒が流れる配管長や配管の高低差についての制御パラメータ
・ＧＨＰ装置を据え付ける設置環境についての制御パラメータ（外気温度、通風状況）
・運転方法についての制御パラメータ（使用方法）
即ち、上記した室内機の構成、ＧＨＰ装置の配管長や配管の高低差、ＧＨＰ装置を据え付ける設置環境についての状況は、ユーザー毎に異なっている。こうした状況を施工後に容易に設定することが可能になると、ユーザーの据え付け環境に一層適応するように、ＧＨＰ装置を運転させることが可能になる。
【００６９】
これは、ユーザーにとっては、より良い空調環境が最初から獲得できるというメリットをもたらす。製造者にとっては、より安いコストでより高い顧客満足度を獲得でき、結果より高いシェアを望めるという利益をもたらす。従来、こうした個別ユーザー向けのチュ−ニングは、ユーザーからのクレームに逐一対応する形で、個別ユーザー専用のプログラムを作成し、出荷するという対応をしていた。この場合、顧客満足度、製造者の対応する工数のいずれも商業ベースでは成立しにくいものであったが、これらの不具合についても解消することが期待できる。
【００７０】
第２実施例によれば、図７にその要部を示すフローチャートに基づいて行うことができる。このフローチャートは一例であり、これに限定されるものではない。設定者はパスワードをパソコン３のキーボート３０またはスイッチ２５で入力する。ＧＨＰ装置の制御ＥＣＵ２は、入力されたパスワードを読み取る。制御ＥＣＵ２は、入力されたパスワードに基づいてユーザーの種類の判定を行う（ステップＳ１６０）。
【００７１】
判定した結果、該当無しの場合には、設定不可信号を出力し、該当無しの旨をパソコン３の画面またはＬＥＤ２６に表示させ（ステップＳ８００，ステップＳ８２０）、リターンする。
【００７２】
ステップＳ１６０において判定した結果、入力されたパスワードがユーザーＡである場合には、機能に関する項目のうち、ユーザーＡが設定可能な項目を選択する（ステップＳ２００）。更に、機能に関する項目のうち、ユーザーＡが設定可能な項目をパソコン３の画面またはＬＥＤ２６に表示する信号と、設定可能な項目の現状値をパソコン３の画面またはＬＥＤ２６に表示する信号とを出力し（ステップＳ２２０）、ユーザーＡ用の設定モ−ドに移行する（ステップＳ２４０）。ここで、機能に関する現状値を変更する必要があるときには、現状設定に対して、設定者（ユーザーＡ）は変更を加える。ＧＨＰ装置の制御ＥＣＵ２は、送られてきた設定内容に基づいて、変更内容を読み取り（ステップＳ２６０）、更に、メモリ２３（ＥＥＰＲＯＭ）の内容を書き換える（ステップＳ２８０）。書き換えが終了（ステップＳ３００）した後、設定完了を示す信号を出力し、設定完了の旨をパソコン３の画面に出力する（ステップＳ７４０）。
【００７３】
またステップＳ１６０において判定した結果、入力されたパスワードがユーザーＢである場合には、機能に関する項目のうち、ユーザーＢが設定可能な項目を選択する（ステップＳ４００）。更に、機能に関する項目のうち、ユーザーＢが設定可能な項目をパソコン３の画面またはＬＥＤ２６に表示する信号と、設定可能な項目の現状値をパソコン３の画面またはＬＥＤ２６に表示する信号とを出力し（ステップＳ４２０）、ユーザーＢ用の設定モ−ドに移行する（ステップＳ４４０）。ここで、機能に関する現状値を変更する必要があるときには、現状設定に対して、設定者（ユーザーＢ）は変更を加える。ＧＨＰ装置の制御ＥＣＵ２は、送られてきた設定内容に基づいて、変更内容を読み取り（ステップＳ４６０）、更に、メモリ２３（ＥＥＰＲＯＭ）の内容を書き換える（ステップＳ４８０）。書き換えが終了した後、設定完了を示す信号を出力し、設定完了の旨をパソコン３の画面に出力する（ステップＳ７４０）。
【００７４】
またステップＳ１６０において判定した結果、入力されたパスワードがユーザーＣである場合には、機能に関する項目のうち、ユーザーＣが設定可能な項目を選択する（ステップＳ６００）。更に、機能に関する項目のうち、ユーザーＣが設定可能な項目をパソコン３の画面またはＬＥＤ２６に表示する信号と、設定可能な項目の現状値をパソコン３の画面またはＬＥＤ２６に表示する信号とを出力し（ステップＳ６２０）、ユーザーＣ用の設定モ−ドに移行する（ステップＳ６４０）。ここで、機能に関する現状値を変更する必要があるときには、現状設定に対して、設定者（ユーザーＣ）は変更を加える。ＧＨＰ装置の制御ＥＣＵ２は、送られてきた設定内容に基づいて、変更内容を読み取り（ステップＳ６６０）、更に、メモリ２３（ＥＥＰＲＯＭ）の内容を書き換える（ステップＳ６８０）。書き換えが終了（ステップＳ７００）した後、設定完了を示す信号を出力し、設定完了の旨をパソコン３の画面に出力する（ステップＳ７４０）。
【００７５】
（実施例３）
第３実施例は前記した第１実施例と基本的には同様の構成であり、第１実施例と基本的には同様の作用効果を奏することができる。以下、異なる部分を中心として説明する。一般的には、制御ＥＣＵ２の制御基板２４上のスイッチ２５による設定は、製造者及び施工者も操作することが可能であり、設定すべき項目を制限しにくい性質をもつ。このため本実施例によれば、制御ＥＣＵ２の制御基板２４上の８個のディップスイッチ２７を設けている。ディップスイッチ２７による設定は、ＧＨＰ装置の機能に関する主要項目にはあまり関係がない簡易な項目に限定しており、ユーザー専用として割り当てられている。
【００７６】
故に、パスワードは製造者、施工者のみに割り当てられており、ユーザーには割り当てられていない。従ってユーザーは、パスワードによる識別なしで、制御ＥＣＵ２の制御基板２４上のディップスイッチ２７により、ＧＨＰ装置の機能に関する項目の変更を行うことができる。
【００７７】
なお、ユーザーは、制御基板２４上のディップスイッチ２７に代えて、または、ディップスイッチ２７と共にジャンパー線により設定を行ってもよい。
【００７８】
これに対して製造者または施工者は、第１実施例において説明したように、制御ＥＣＵ２にＲＳ２３２Ｃ（接続信号線）によりパソコン３を接続し、パスワード及び設定内容をパソコン３のキーボード３０から入力し、製造者または施工者が設定可能な項目について変更することができる。
【００７９】
すなわち、入力されたパスワードが製造者のパスワードである場合には、書き換え可能なメモリ２３に記憶されているＧＨＰ装置の機能に関する項目のうち、製造者がＧＨＰ装置の機能に関して設定可能な項目について変更することができる。また入力されたパスワードが施工者のパスワードである場合には、書き換え可能なメモリ２３に記憶されているＧＨＰ装置の機能に関する項目のうち、施工者がＧＨＰ装置の機能に関して設定可能な項目について変更することができる。
【００８０】
（その他）本発明は上記した実施例のみに限定されるものではなく、例えば機器としては、ＧＨＰ装置等の空調装置に限定されるものではなく、要旨を逸脱しない範囲内で適宜変更して実施できるものである。
【００８１】
【発明の効果】
以上説明したように本発明によれば、製造者や中間者が設定すべく内容をユーザーが誤って設定することを回避でき、機器を良好に運転できる機器機能設定装置を提供することができる。
【図面の簡単な説明】
【図１】ＧＨＰ装置の概念を示す概念図である。
【図２】ＧＨＰ装置の室外機を示す概念図である。
【図３】室外機と複数の室内機とをもつＧＨＰ装置を示す概念図である。
【図４】制御ＥＣＵのブロック図である。
【図５】制御ＥＣＵの制御基板に搭載されているスイッチ及びＬＥＤを示す構成図である。
【図６】パソコンで設定を行う場合におけるフローチャートである。
【図７】ユーザー毎に設定を変える場合におけるフローチャートである。
【図８】制御ＥＣＵの制御基板の概念図である。
【図９】従来技術に係り、制御ＥＣＵの制御基板の概念図である。
【符号の説明】
図中、１０は室内機、１１は室外機、１２はガスエンジン、１３はコンプレッサ、２は制御ＥＣＵ、２０はＣＰＵ、２３はメモリ（記憶手段）、２４は制御基板、２５はスイッチ（パスワード入力手段、設定入力手段）、２６はＬＥＤ、３はパソコン、３０はキーボード（パスワード入力手段、設定入力手段）を示す。
【図１】
2004278980.tif 000003
【図２】
2004278980.tif 000004
【図３】
2004278980.tif 000005
【図４】
2004278980.tif 000006
【図５】
2004278980.tif 000007
【図６】
2004278980.tif 000008
【図７】
2004278980.tif 000009
【図８】
2004278980.tif 000010
【図９】
2004278980.tif 000011